【手続補正書】
【提出日】平成25年4月18日(2013.4.18)
【手続補正１】
【補正対象書類名】特許請求の範囲
【補正対象項目名】全文
【補正方法】変更
【補正の内容】
【特許請求の範囲】
【請求項１】
背面部を有する枠状の額本体部と、額本体部の背面部と反対側の展示部前面に接合する前面透明板と、額本体部の枠状部外側面及び前面透明板の外周部分をカバーする着脱式額縁フレームとで構成される展示用の額であり、額本体部の展示部前面と前面透明板とは、額本体部前面側の枠状部からフランジ状に延びた額本体部前面ツバ形状接続部分と前面透明板の外周部が接合し、額本体部背面側の枠状部からフランジ状に延びた額本体部背面ツバ形状接続部分を形成し、着脱式額縁フレームと額本体部背面ツバ形状接続部分は嵌合により組み立てられ、額本体部背面ツバ形状接続部分の周縁端部は額本体部前面ツバ形状接続部分の周縁端部よりも外周が延出していることを特徴とする展示用の額。
【手続補正２】
【補正対象書類名】明細書
【補正対象項目名】０００３
【補正方法】変更
【補正の内容】
【０００３】
従来の額では、額縁フレームは額本体と一体化し固定化される。額縁フレームが他の構成部材と接合し強度や支持部材としての役割を果たすことで額が構成されているため、額縁フレームを入れ替えることができなかった。また接合部の構造により外部環境に弱く、接合部分にパッキン材や防水材などを使用して外部環境に対応してきた。
【手続補正３】
【補正対象書類名】明細書
【補正対象項目名】０００４
【補正方法】変更
【補正の内容】
【０００４】
前記課題を解決するために本発明の展示用の額は、背面部を有する枠状の額本体部と、額本体部の背面部と反対側の展示部前面に接合する前面透明板と、額本体部の枠状部外側面及び前面透明板の外周部分をカバーする着脱式額縁フレームとで構成される展示用の額である。額本体部の展示部前面と前面透明板とは、額本体部前面側の枠状部からフランジ状に延びた額本体部前面ツバ形状接続部分と前面透明板の外周部が接合し、額本体部背面側の枠状部からフランジ状に延びた額本体部背面ツバ形状接続部分を形成し、着脱式額縁フレームと額本体部背面ツバ形状接続部分は嵌合により組み立てられ、額本体部背面ツバ形状接続部分の周縁端部は額本体部前面ツバ形状接続部分の周縁端部よりも外周が延出していることを特徴とする。
【手続補正４】
【補正対象書類名】明細書
【補正対象項目名】０００７
【補正方法】変更
【補正の内容】
【０００７】
図面に示す実施の形態により、本発明を詳細に説明する。
〈ア〉、図１（本発明の実施の形態）と図２（図１のＷ−Ｘ線に沿う拡大断面図）に示すように、額の展示部分と背面部を有する枠状の額本体部（２）と額本体部の背面部と反対側の展示部前面に接合する前面透明板（３）と額本体部の枠状部外側面及び前面透明板の外周部分と接合部分のカバー及び額縁デザインとなる、着脱式額縁フレーム（４）とで構成している展示用の額（１）である。
〈イ〉、図２と図３（図１の分解斜視図）に示すように、額本体部（２）の展示部前面と前面透明板（３）とは額本体部前面側の枠状部からフランジ状に延びた額本体部前面ツバ形状接続部分（５）を形成し、前面透明板（３）の外周部と接合する構造である。
〈ウ〉、図２と図３に示すように、額本体部（２）の背面側の枠状部からフランジ状に延びた額本体部背面ツバ形状接続部分（６）を形成する。額本体部背面ツバ形状接続部分（６）と着脱式額縁フレーム（４）の接合は、額本体部背面ツバ形状接続部分（６）の周縁端部が額本体部前面ツバ形状接続部分（５）の周縁端部よりも外周端部が外方向に延びることで、着脱式額縁フレーム接続部分（７）は額本体部前面ツバ形状接続部分（５）と干渉することなく、額本体部背面ツバ形状接続部分（６）との嵌合により直接組み立てられる。
〈エ〉、図２と図３と図５（図１から着脱式額縁フレームを取り外し他の異なるデザインの着脱式額縁フレームに入れ替えた実施の形態の説明図）と図６（図５のＹ−Ｚ線に沿う拡大断面図）に示すように、額本体部前面ツバ形状接続部分（５）と前面透明板（３）の外周部分が接合することにより額本体部（２）は箱形状の構造になり強度が保たれる。着脱式額縁フレーム（４）は額本体部（２）と前面透明板（３）が接合した箱形状の額本体部（２）（３）の強度には関与しない構造であることにより、着脱式額縁フレーム（４）は箱形状の額本体部（２）（３）から直接着脱が可能となり、そのことにより、箱形状の額本体部（２）（３）から着脱式額縁フレーム（４）を取り外し、他の異なるデザインの着脱式額縁フレーム（９）に入れ替えることができる。
〈オ〉、図１と図２と図３に示すように、展示用の額（１）から着脱式額縁フレーム（４）を取り外し、箱形状の額本体部（２）（３）から前面透明板（３）を取り外すことによって額本体部（２）の展示部分が開放でき展示品の入れ替えなどが行え、そして前面透明板（３）を取り付けることで展示部分（８）を封鎖することができる。また額本体部前面ツバ形状接続部分（５）と前面透明板（３）は外周部分で接合されるが、着脱式額縁フレーム（４）が取り付けられていない状態では、接合部分や額本体部の枠状部外側面が見えてしまうことで、額としての機能やデザイン性を欠くことになるが、着脱式額縁フレーム（４）を取り付けることにより、額としての機能やデザイン性が額の基本性に準ずる外観になる。
〈カ〉、図２と図３と図６に示すように、着脱式額縁フレーム（４）は額本体部前面ツバ形状接続部分（５）と前面透明板（３）の外周部分や額本体部（２）の枠状部外側面を覆いカバーする役割を果たす。それは額本体部前面ツバ形状接続部分（５）と前面透明板（３）の外周部分との接合部分の繋ぎ目になる周縁端部が額本体部（２）に取り付いた着脱式額縁フレーム（４）の額縁フレーム空間内部になることにより、接合部分の繋ぎ目になる周縁端部は空間内部に於いてどことも接することが無い中空状態の接合部分となり、完全に外部環境と遮断される。そのことにより、額本体部前面ツバ形状接続部分（５）と前面透明板（３）の接合部分には、パッキン材や防水材などを使用しなくても外部環境に対応することができ、展示品の安全な保管や劣化を防止することができる。
〈キ〉、図４（図１と別形状の斜視図）に示すように、別形状の額の例（１０）は、図１と図２と図３に示すように、四角い形状の展示用の額（１）と同様の構成、構造である。前記〈ア〉〈イ〉〈ウ〉〈エ〉〈オ〉〈カ〉の構成、構造によって、従来の額では難しい円形、三角形、ハート型やキャラクター型などのさまざまな形であっても全て同一の構成、構造で作ることができる。
〈ク〉、図１と図２と図３に示すように、展示用の額（１）の材質の種類は、使用の目的用途や設置期間や額の大きさにより異なるが、額本体部（２）の強度が保たれる材質の種類であれば、さまざまな材質の中から条件の合う材質を選択して展示用の額（１）を作ることができる。材質の種類はプラスチック材、ＦＲＰ，発砲スチロール、木材、鉄、非鉄金属などさまざまな材質から選択することが可能である。前面透明板（３）には、ガラス、アクリル、プラスチック、マジックミラーなどが使用でき、熱紫外線に対応する前面透明板（３）やフィルムを使用することで展示品の劣化をさらに防止することができる。
〈ケ〉、図１と図２と図３に示すように、展示用の額（１）は、額本体部（２）、前面透明板（３）、着脱式額縁フレーム（４）の各接続部分が接合されることで展示用の額（１）を講成する。接合方法は使用の目的用途により異なるが、テープ、両面テープ、面ファスナー、磁石、クリップ止め、ねじ止め、ボルト止め、接着剤、市販の金具、など多彩な接続方法から選択することができる。展示用の額〈１〉は、額の構造により外部環境に対応するが、特に環境の悪い場所では、接続部分（５）（６）（７）の間にパッキン材や防水材を使用することで、展示部分内部は完全な密閉になり展示品の劣化をさらに防止することができる。
〈コ〉、図１と図２と図３に示すように、展示用の額（１）から着脱式額縁フレーム（４）を取り外し、額本体部（２）と前面透明板（３）のみにし、図５図６に示すように、他の異なるデザインの着脱式額縁フレーム（９）を、図１と図２に示すように、額本体部背面ツバ形状接続部分（６）との接合により、図５と図６に示すように、他の異なるデザインの着脱式額縁フレームを入れた展示用の額（１１）にすることができる。それは額本体部背面ツバ形状接続部分（６）と着脱式額縁フレーム接続部分（７）との接合部分の形状が合致することにより他の異なるデザインの着脱式額縁フレーム（９）であっても、着脱式額縁フレーム（４）と同様に接合が可能である。以上のように着脱式額縁フレーム（４）を他の異なるデザインの着脱式額縁フレーム（９）のように額縁フレームを入れ替えることで、多くの額を所有することなく季節やイベントなどのさまざまなシーンやシチュエーションに合わせて着脱式額縁フレーム（４）を選ぶことができ、また着脱式額縁フレーム（４）の破損や劣化、又はイメージチェンジなどでも容易に着脱式額縁フレーム（４）を取り外し交換することができる。
〈サ〉、図２と図３に示すように、着脱式額縁フレーム（４）は箱形状の額縁本体部（２）（３）の前面から背面方向に差し込み、額本体部背面ツバ形状接続部分（６）と直接接合でき、額本体部前面ツバ形状接続部分（５）と前面透明板（３）の外周部分と額本体部（２）の枠状部外側面をカバーすることにより外部環境に対応し、額縁フレームが入れ替えできる着脱式額縁フレーム構造が特徴の展示用の額（１）である。
【手続補正５】
【補正対象書類名】明細書
【補正対象項目名】０００８
【補正方法】変更
【補正の内容】
【０００８】
（１）：展示用の額
（２）：額本体部
（３）：前面透明板
（４）：着脱式額縁フレーム
（５）：額本体部前面ツバ形状接続部分
（６）：額本体部背面ツバ形状接続部分
（７）：着脱式額縁フレーム接続部分
（８）：展示部前面開口部
（９）：他の異なるデザインの着脱式額縁フレーム
（１０）：別形状の展示用の額
（１１）：他の異なるデザインの着脱式額縁フレームを入れた展示用の額
【手続補正６】
【補正対象書類名】図面
【補正対象項目名】全図
【補正方法】変更
【補正の内容】
【図１】
2011115575.tif 000001
【図２】
2011115575.tif 000002
【図３】
2011115575.tif 000003
【図４】
2011115575.tif 000004
【図５】
2011115575.tif 000005
【図６】
2011115575.tif 000006